(57)【要約】【課題】玄関先に設置された照明灯を点灯させるための電力の余剰電力が動作電源となるインターホン子機と、商用電源からの電力が動作電源となる住戸内に設置されたインターホン親機との間で無線による通信を行なう。【解決手段】発電器５にて発電され、玄関先の門柱４に収納された充電器７を介して充放電された電力のうち、門柱に設けられた照明器６の照明灯を点灯させるための電力の余剰電力が動作電源となる門柱に固定されたインターホン子機１と、商用電源３からの電力が動作電源となる住戸内に設置されたインターホン親機２との間で無線による通信を行なう。また、照明器の照明灯を玄関先の照度のレベルに応じて自動点灯／自動消灯させることにより、夜間時等のように玄関先の照度が所定のレベル未満である場合には、照明灯の点灯がインターホン子機の照明となり、玄関先の照度を確保できる。【選択図】　図１
2004032533.tif 000002
【特許請求の範囲】
【請求項１】
玄関先に設置され蛍光灯等で構成された照明灯（５０）にて照明されるインターホン子機（１）と、住戸内に設置され前記インターホン子機との間で無線による通信を行なうインターホン親機（２）とを備え、
太陽光を用いる太陽電池、または風力を用いる風力発電による発電器（５）に、電力ケーブル（Ｌ２）を介して接続され前記照明灯を点灯するとともに前記インターホン子機を駆動させる電源を供給するための充電回路（６０）、前記充電回路から充電され前記発電器にて発電された電力を蓄積するための２次電池（６１）、前記２次電池から給電される放電回路（６２）を備えた充電器（７）と、前記充電器の前記放電回路に電力ケーブル（Ｌ４）を介して接続され前記照明灯を点灯させるためのインバータ回路等で構成された電源回路（５１）を備えた照明器（６）とを有し、
前記インターホン子機は、来訪者の映像を撮像するためのカメラユニット（１２）および前記カメラユニットからの撮像信号を変調し出力するための映像変調回路（１８）、前記充電器の前記放電回路に電力ケーブル（Ｌ３）を介して接続され前記インターホン子機を駆動させるための電圧変換回路（２２）、前記インターホン親機を呼び出すための呼出ボタン（１０）、前記インターホン親機との間で通話を行なうための子機マイクロフォン（１３）および子機スピーカ（１４）、前記インターホン親機との間で無線による通信を行なうための無線回路（２１）および無線アンテナ（１５）を有し、
前記インターホン親機は、前記インターホン子機からの撮像信号を復調するための映像復調回路（３６）および前記来訪者の映像を表示して確認させるためのモニタユニット（３０）、前記インターホン子機との間で無線による通信を行なうための無線回路（４１）および無線アンテナ（３５）を有することを特徴とするテレビドアホン装置。
【請求項２】
前記インターホン子機は、前記来訪者を検出し前記カメラユニットにて前記来訪者の映像を撮像して前記モニタユニットにて表示させ確認できるようにするための人感センサ（１１）および検出回路（１７）を有することを特徴とする請求項１記載のテレビドアホン装置。
【請求項３】
前記照明器は、前記電源回路と接続され、前記玄関先の照度が一定レベル未満になった時に前記照明灯を自動点灯させ、前記照度が一定レベル以上になった時に自動消灯させるための照度センサ（５２）およびセンサ回路（５３）を有することを特徴とする請求項１または請求項２記載のテレビドアホン装置。
【請求項４】
門柱（４）に前記照明灯を設け、前記照明灯により前記来訪者を照明し前記インターホン子機の前記カメラユニットにて前記来訪者の映像を撮像することで、夜間時の前記来訪者の映像を前記インターホン親機の前記モニタユニットにて表示させ確認できるように前記門柱に前記インターホン子機を固定することを特徴とする請求項１乃至請求項３のうち何れか１項記載のテレビドアホン装置。
【請求項５】
前記門柱に前記充電回路、前記２次電池および前記放電回路を収納することを特徴とする請求項４記載のテレビドアホン装置。
【発明の詳細な説明】
【０００１】
【発明の属する技術分野】
本発明はテレビドアホン装置に係り、特に、別途の電力で駆動されるインターホン子機とインターホン親機との間で行なわれる通信が無線にて可能なテレビドアホン装置に関する。
【０００２】
【従来の技術】
従来から、この種のテレビドアホン装置として、図６の正面図に示す構成のテレビドアホン装置が提案されている。
【０００３】
図６の正面図に示すテレビドアホン装置において、インターホン子機１０１は玄関先に設置されており、呼出ボタン１１０、カメラユニット１１１、子機マイクロフォン１１２、子機スピーカ１１３を有する。
【０００４】
また、インターホン親機１０２は住戸内に設置されており、モニタユニット１２０、通話ボタン１２１、親機マイクロフォン１２２、親機スピーカ１２３を有する。
【０００５】
さらに、インターホン親機１０２には、伝送ケーブルＬ１０１を介してインターホン子機１０１が接続されているとともに、電力ケーブルＬ１０２を介して商用電源１０３が接続されている。
【０００６】
このように構成された従来例のテレビドアホン装置において、住戸内に設置されたインターホン親機１０２は、電力ケーブルＬ１０２を介して接続されている商用電源１０３からの交流電源を直流電源に整流しており、この直流電源は、当該インターホン親機を駆動させるための電源、すなわち、インターホン子機１０１からの呼出時における呼出報知、映像表示、通話の各動作時の動作電源となるばかりでなく、待受時において整流された直流電源は、伝送ケーブルＬ１０１を介して接続されている玄関先に設置されたインターホン子機１０１に給電され、当該インターホン子機の待受時における動作電源となる。
【０００７】
ここで、住戸内の居住者を呼び出すために、玄関先に居る来訪者がインターホン子機１０１の呼出ボタン１１０を操作すると、伝送ケーブルＬ１０１に予め重畳されている直流電源の電圧レベルが降圧される。
【０００８】
また、インターホン親機１０２では、電圧レベルが降圧された伝送ケーブルＬ１０１上の直流電源に基づき、玄関先に居る来訪者からの呼び出しを検出し、親機スピーカ１２３にて呼出音を鳴動させ呼出報知を行なうとともに、インターホン子機１０１を駆動させるための電源、すなわち、当該インターホン子機の撮像（映像撮像）機能および通話機能を能動とするための動作電源を、伝送ケーブルＬ１０１を介して給電することにより、インターホン子機１０１のカメラユニット１１１にて来訪者の映像の撮像が開始される。この映像は、適宜、変調処理された撮像信号として、伝送ケーブルＬ１０１を介してインターホン親機１０２に伝送される。
【０００９】
また、インターホン親機１０２では、インターホン子機１０１からの撮像信号を適宜、復調処理し、インターホン子機１０１のカメラユニット１１１にて撮像された来訪者の映像をモニタユニット１２０に表示させる。
【００１０】
さらに、インターホン親機１０２の親機スピーカ１２３からの呼出音の鳴動とともにモニタユニット１２０にて表示された映像に基づき、玄関先に居る来訪者からの呼び出しを当該来訪者の判別と併せて確認できた住戸内の居住者が通話ボタン１２１を操作すると、居住者が使用する親機マイクロフォン１２２および親機スピーカ１２３と、伝送ケーブルＬ１０１を介して来訪者が使用するインターホン子機１０１の子機マイクロフォン１１２および子機スピーカ１１３との間の通話ラインが形成され、この通話ラインを介して音声信号を送受信させることにより通話が成立する。
【００１１】
【発明が解決しようとする課題】
しかしながら、従来例のテレビドアホン装置において、インターホン子機１０１とインターホン親機１０２との間で通信を行なうためには、伝送ケーブルＬ１０１を介して配線せねばならず、配線工事が必要となり施工性が低く、特に、当該装置を既設住宅内に施工する場合には、大きな煩雑さを有する難点があった。
【００１２】
また、上述の難点を解消する手段として、インターホン子機１０１とインターホン親機１０２との間で行なわれる通信、すなわち、伝送ケーブルＬ１０１を介して行なわれる有線による通信を、無線による通信に変更する手段が好適とされるが、この手段を適用するにあたり、インターホン子機１０１には、当該インターホン子機を駆動させるための電源としてのバッテリーの内蔵が必須要件である、一方、バッテリーの収納場所を確保することは困難とされ、１次電池を用いた場合には、当該電池の消耗によって定期的にバッテリーを交換せねばならない難点があった。
【００１３】
本発明は、上述の難点を解消するためになされたもので、玄関先に設置された照明灯を点灯させるための電力の余剰電力が動作電源となるインターホン子機と、商用電源からの電力が動作電源となる住戸内に設置されたインターホン親機との間で無線による通信を行なうことにより、配線の不要に起因して施工性が向上されたテレビドアホン装置を提供することを目的としている。
【００１４】
【課題を解決するための手段】
上述の目的を達成するため、本発明のテレビドアホン装置は、玄関先に設置され蛍光灯等で構成された照明灯にて照明されるインターホン子機と、住戸内に設置されインターホン子機との間で無線による通信を行なうインターホン親機とを備える。また、太陽光を用いる太陽電池、または風力を用いる風力発電による発電器に、電力ケーブルを介して接続され照明灯を点灯するとともにインターホン子機を駆動させる電源を供給するための充電回路、充電回路から充電され発電器にて発電された電力を蓄積するための２次電池、２次電池から給電される放電回路を備えた充電器と、充電器の放電回路に電力ケーブルを介して接続され照明灯を点灯させるためのインバータ回路等で構成された電源回路を備えた照明器とを有する。また、インターホン子機は、来訪者の映像を撮像するためのカメラユニットおよびカメラユニットからの撮像信号を変調し出力するための映像変調回路、充電器の放電回路に電力ケーブルを介して接続されインターホン子機を駆動させるための電圧変換回路、インターホン親機を呼び出すための呼出ボタン、インターホン親機との間で通話を行なうための子機マイクロフォンおよび子機スピーカ、インターホン親機との間で無線による通信を行なうための無線回路および無線アンテナを有する。さらに、インターホン親機は、インターホン子機からの撮像信号を復調するための映像復調回路および来訪者の映像を表示して確認させるためのモニタユニット、インターホン子機との間で無線による通信を行なうための無線回路および無線アンテナを有する。
【００１５】
このようなテレビドアホン装置によれば、発電器にて発電され、充電器を介して充放電された電力のうち、玄関先に設置された照明灯を点灯させるための電力の余剰電力がインターホン子機を駆動させるための電源、すなわち、待受時のみならず呼出操作、人体感知、映像撮像、通話の各動作時の動作電源となる、一方、住戸内に設置されたインターホン親機では、商用電源からの電力が動作電源となり、別途の電力で駆動されるインターホン子機とインターホン親機との間で無線による通信が行なわれる。
【００１６】
また、本発明のテレビドアホン装置において、インターホン子機は、来訪者を検出しカメラユニットにて来訪者の映像を撮像してモニタユニットにて表示させるための人感センサおよび検出回路を有する。
【００１７】
このようなテレビドアホン装置によれば、玄関先に近づいた来訪者の存在を、インターホン子機の人感センサおよび検出回路にて検出すると、カメラユニットにて来訪者の映像の撮像が開始され、この映像はインターホン親機のモニタユニットにて表示される。
【００１８】
また、本発明のテレビドアホン装置において、照明器は、電源回路と接続され、玄関先の照度が一定レベル未満になった時に照明灯を自動点灯させ、照度が一定レベル以上になった時に自動消灯させるための照度センサおよびセンサ回路を有する。
【００１９】
このようなテレビドアホン装置によれば、照明器の照度センサおよび検出回路にて玄関先の照度を検出し、この照度が一定レベル未満になった時、例えば、夜間時等には照明灯が自動点灯される、一方、照度が一定レベル以上になった時、例えば、昼間時等には照明灯が自動消灯される。
【００２０】
また、本発明のテレビドアホン装置は、門柱に照明灯を設け、照明灯により来訪者を照明しインターホン子機のカメラユニットにて来訪者の画像を撮像することで、夜間時の来訪者の映像をインターホン親機のモニタユニットにて表示させ確認できるように門柱にインターホン子機を固定する。
【００２１】
このようなテレビドアホン装置によれば、門柱に照明灯を設けるとともにインターホン子機を固定することにより、夜間時における来訪者の映像は、照度が確保された視認性の高い映像としてインターホン親機のモニタにて表示される。
【００２２】
また、本発明のテレビドアホン装置は、門柱に充電回路、２次電池および放電回路を収納する。
【００２３】
このようなテレビドアホン装置によれば、充電器を構成する充電回路、２次電池および放電回路を門柱に収納できる。
【００２４】
【発明の実施の形態】
以下、本発明のテレビドアホン装置を適用した好ましい形態の実施例について、図面を参照して説明する。
【００２５】
図１は、本発明の一実施例によるテレビドアホン装置の構成を示す説明図である。
【００２６】
図１の説明図に示すテレビドアホン装置は、玄関先に設置されており、来訪者が住戸内の居住者を呼び出して通話を成立させるための機能、来訪者や不審者等が玄関先に居るか否か、すなわち、人体の存在を検出するための機能および来訪者や不審者等の映像を撮像するための機能を有するインターホン子機１と、住戸内に設置され、インターホン子機１との間で無線による通信が可能であり、来訪者からの呼び出しを報知するための機能、来訪者や不審者等の映像を表示するための機能および居住者が来訪者との間で通話を成立させるための機能を有するインターホン親機２と、電力ケーブルＬ１を介して接続されているインターホン親機２を駆動させるための電源（動作電源）を供給する商用電源３と、インターホン子機１とともに玄関先に設置されている門柱４と、太陽光を用いる太陽電池、または風力を用いる風力発電による発電器５と、門柱４に設けられており、玄関先の照度を確保するための照明機能を有する照明器６と、門柱４に収納されており、電力ケーブルＬ２を介して接続されている発電器５にて発電された電力を充放電し、放電された電力を、電力ケーブルＬ３を介して接続されているインターホン子機１、電力ケーブルＬ４を介して接続されている照明器６にそれぞれ給電するための機能を有する充電器７とで構成されており、インターホン子機１は、門柱４（の所定の位置）に固定されている。
【００２７】
図２（ａ）は、インターホン子機１の構成を示す正面図であり、図２（ｂ）は、インターホン子機１の具体的な構成を示すブロック図である。
【００２８】
図２（ａ）の正面図において、インターホン子機１は、玄関先に居る来訪者が、住戸内の居住者を呼び出すために操作する呼出ボタン１０と、玄関先に近づいた来訪者や不審者等の人体の存在を感知するための人感センサ１１と、来訪者や不審者等の映像を撮像するためのカメラユニット１２と、呼出操作を行なった来訪者が居住者との間で通話を成立させるために使用する子機マイクロフォン１３および子機スピーカ１４と、インターホン親機２の後述する無線アンテナ３５との間で無線による通信を行なうための無線アンテナ（以下、子機無線アンテナという。）１５とを有する。
【００２９】
また、図２（ｂ）のブロック図において、インターホン子機１には、上述の呼出ボタン１０、人感センサ１１、カメラユニット１２、子機マイクロフォン１３、子機スピーカ１４、子機無線アンテナ１５と、呼出ボタン１０の操作を検出するための呼出検出回路１６と、人感センサ１１の作動／非作動状態を監視／検出するための人体検出回路１７と、カメラユニット１２にて撮像された来訪者や不審者等の映像をなす撮像信号をＦＭ変調するための映像変調回路１８と、子機マイクロフォン１３を介して入力された来訪者からの送話音声をなす音声信号を増幅するための子機送話アンプ１９と、子機スピーカ１４にて鳴動される住戸内の居住者からの受話音声をなす音声信号を増幅するための子機受話アンプ２０と、子機無線アンテナ１５が接続されており、当該子機無線アンテナを介したインターホン親機２の無線アンテナ３５と後述する子機制御回路２３との間の信号伝送ラインを形成するための無線回路（以下、子機無線回路という。）２１と、電力ケーブルＬ３を介して接続された充電器７より給電されてくる電力をなす直流電源の電圧レベルを、当該インターホン子機を駆動させるための電源（動作電源）をなす所定の電圧レベルに降圧、または昇圧する子機電圧変換回路２２と、当該インターホン子機の構成各部／回路をそれぞれ制御するための子機制御回路２３とが備えられている。
【００３０】
図３（ａ）は、インターホン親機２の構成を示す正面図であり、図３（ｂ）は、インターホン親機２の具体的な構成を示すブロック図である。
【００３１】
図３（ａ）の正面図において、インターホン親機２は、インターホン子機１のカメラユニット１２にて撮像された映像を表示するためのモニタユニット３０と、モニタユニット３０および後述する映像復調回路３６、インターホン子機１のカメラユニット１２および映像変調回路１８をそれぞれ能動とするために住戸内の居住者により操作される出画ボタン３１と、玄関先に居る来訪者からの呼び出しを確認した居住者が応答するために操作する通話ボタン３２と、応答操作を行なった居住者が来訪者との間で通話を成立させるために使用する親機マイクロフォン３３および親機スピーカ３４と、インターホン子機１の子機無線アンテナ１５との間で無線による通信を行なうための無線アンテナ（以下、親機無線アンテナという。）３５とを有する。なお、インターホン親機２の親機スピーカ３４は、上述の通話機能の他、来訪者からの呼び出しを報知（発報）するための呼出音を鳴動させる機能も有する。
【００３２】
また、図３（ｂ）のブロック図において、インターホン親機２には、上述のモニタユニット３０、出画ボタン３１、通話ボタン３２、親機マイクロフォン３３、親機スピーカ３４、親機無線アンテナ３５と、インターホン子機１のカメラユニット１２にて撮像された映像をなす撮像信号を復調（ＦＭ復調）し、モニタユニット３０にて表示させるための映像復調回路３６と、出画ボタン３１の操作を検出するための出画検出回路３７、通話ボタン３２の操作を検出するための応答検出回路３８と、親機マイクロフォン３３を介して入力された居住者による送話音声をなす音声信号を増幅するための親機送話アンプ３９と、親機スピーカ３４にて鳴動される呼出音をなす呼出音信号、または来訪者からの受話音声をなす音声信号を増幅するための親機受話アンプ４０と、親機無線アンテナ３５が接続されており、当該親機無線アンテナを介したインターホン子機１の子機無線アンテナ１５と後述する親機制御回路４３との間の信号伝送ラインを形成するための無線回路（以下、親機無線回路という。）４１と、電力ケーブルＬ１を介して接続された商用電源３より給電されてくる電力をなす交流電源を直流電源に整流し、この直流電源の電圧レベルを、当該インターホン親機を駆動させるための電源（動作電源）をなす所定の電圧レベルに降圧、または昇圧する親機電圧変換回路４２と、当該インターホン親機の構成各部／回路をそれぞれ制御するための親機制御回路４３とが備えられている。
【００３３】
図４は、照明器６の具体的な構成を示すブロック図である。
【００３４】
図４のブロック図において、照明器６には、玄関先の照度を確保するために点灯される蛍光灯等の照明灯５０と、電力ケーブルＬ４を介して接続された充電器７より給電されてくる電力をなす直流電源を、照明灯５０を駆動させる電源（動作電源）とするためのインバータ等で構成された電源回路（以下、照明器電源回路という。）５１と、玄関先の照度を検出するための照度センサ５２と、照度センサ５２の検出に基づき、玄関先の照度が一定レベル未満になった時には、照明灯５０を自動点灯させるように照明器電源回路５１を制御する、一方、照度が一定レベル以上になった時には、照明灯５０を自動消灯させるように照明器電源回路５１を制御するためのセンサ回路５３とが備えられている。
【００３５】
図５は、充電器７の具体的な構成を示すブロック図である。
【００３６】
図５のブロック図において、充電器７には、電力ケーブルＬ２を介して接続されている発電器５にて発電された電力をなす交流電源を直流電源に整流し、この直流電源を充電するための充電回路６０と、充電回路６０に充電された直流電源を蓄電するための２次電池、例えば、鉛蓄電池、アルカリ電池等からなる２次電池６１と、２次電池６１に蓄電されている直流電源を放電させ、電力ケーブルＬ３を介して接続されているインターホン子機１、電力ケーブルＬ４を介して接続されている照明器６にそれぞれ給電するための放電回路６２とが備えられている。
【００３７】
なお、図５のブロック図に示す充電器７の構成各部／回路、すなわち、充電回路６０、２次電池６１および放電回路６２は、図１の説明図に示す門柱４に収納されている。
【００３８】
このように構成された本発明の一実施例によるテレビドアホン装置において、以下、具体的な動作について説明する。
【００３９】
図３（ｂ）のブロック図において、インターホン親機２の親機電圧変換回路４２は、電力ケーブルＬ１を介して接続されている商用電源３からの電力をなす交流電源を直流電源に整流し、当該インターホン親機を駆動させるための電源をなす所定の電圧レベルに降圧、または昇圧し、整流／降圧、または昇圧された直流電源は、インターホン親機２の構成各部／回路へそれぞれ供給され、待受時のみならず呼出報知、映像表示、通話の各動作時の動作電源となる。
【００４０】
図１の説明図に示す発電器５は、当該発電器を構成する太陽電池、または風力発電により発電、すなわち、太陽電池の場合には、晴天時や昼間時等における太陽光を日照レベルに応じた電力をなす交流電源に変換して発電を行なう、一方、風力発電の場合には風力を当該風力レベルに応じた電力をなす交流電源に変換して発電を行なう。また、発電器５にて発電された交流電源は、電力ケーブルＬ２を介して門柱４に収納された充電器７に給電される。
【００４１】
図５のブロック図において、充電器７の充電回路６０は、電力ケーブルＬ２を介して接続されている発電器５からの電力をなす交流電源を直流電源に整流し、この直流電源を２次電池６１に蓄電させる。また、放電回路６２は、２次電池６１に蓄電された直流電源を放電させ、放電された直流電源は、電力ケーブルＬ３を介して図１の説明図、図２（ａ）の正面図および図２（ｂ）のブロック図に示すインターホン子機１と、電力ケーブルＬ４を介して図１の説明図および図４のブロック図に示す照明器６とにそれぞれ給電される。
【００４２】
また、図２（ｂ）のブロック図において、インターホン子機１の子機電圧変換回路２２は、電力ケーブルＬ３を介して接続されている充電器７からの電力をなす直流電源の電圧レベルを、当該インターホン子機を駆動させるための電源をなす所定の電圧レベルに降圧、または昇圧し、降圧、または昇圧された直流電源は、インターホン子機１の構成各部／回路へそれぞれ供給され、待受時のみならず呼出操作、人体感知、映像撮像、通話の各動作時の動作電源となる。
【００４３】
さらに、図４のブロック図に示す照明器６では、照度センサ５２が玄関先の照度を監視しており、夜間時等で玄関先の照度が所定のレベル未満であるとセンサ回路５３にて検出されると、このセンサ回路５３の制御により照明器電源回路５１から照明灯５０への電源供給ラインが形成し、電力ケーブルＬ４を介して接続されている充電器７からの電力をなす直流電源が照明灯５０に供給されることにより、照明灯５０が自動点灯し、図１の説明図に示す門柱４に固定されているインターホン子機１の照明となり玄関先の照度を確保できる、一方、昼間時等で玄関先の照度が所定のレベル以上であるとセンサ回路５３にて検出されると、このセンサ回路５３の制御により照明器電源回路５１から照明灯５０への電源供給ラインが遮断されることにより、照明灯５０は自動消灯する。
【００４４】
次に、図４のブロック図に示す照明器６の照明灯５０が自動点灯されている夜間時において、住戸内の居住者を呼び出すために、玄関先に居る来訪者が図１の説明図に示す門柱４に固定されている図２（ａ）の正面図および図２（ｂ）のブロック図に示すインターホン子機１の呼出ボタン１０を操作すると、呼出操作を検出した呼出検出回路１６からの呼出信号Ｓ１が子機制御回路２３および当該子機制御回路を介して子機無線回路２１に伝送される。また、子機無線回路２１は、呼出検出回路１６からの呼出信号Ｓ１を、例えば、高周波信号をなす無線信号（以下、無線呼出信号という。）Ｓ１ａに信号処理する。この無線呼出信号Ｓ１ａは、子機無線アンテナ１５から発信され、図３（ａ）の正面図および図３（ｂ）のブロック図に示すインターホン親機２の親機無線アンテナ３５にて受信される。
【００４５】
図２（ｂ）のブロック図に示すインターホン子機１において、呼出検出回路１６からの呼出信号Ｓ１が入力された子機制御回路２３では、カメラユニット１２、映像変調回路１８をそれぞれ能動となるように制御することにより、自動点灯されている図４のブロック図に示す照明器６の照明灯５０により照度が確保された来訪者の映像の撮像がカメラユニット１２にて開始され、撮像された映像をなす撮像信号Ｓ２は、映像変調回路１８にて撮像変調信号Ｓ２ａにＦＭ変調された後、子機制御回路２３を介して子機無線回路２１に伝送される。また、子機無線回路２１は、映像変調回路１８からの撮像変調信号Ｓ２ａを、例えば、高周波信号をなす無線信号（以下、無線撮像信号という。）Ｓ２ｂに信号処理する。この無線撮像信号Ｓ２ｂは、上述の無線呼出信号Ｓ１ａと同様な経路を介して伝送され、図３（ａ）の正面図および図３（ｂ）のブロック図に示すインターホン親機２の親機無線アンテナ３５にて受信される。
【００４６】
また、上述のように、玄関先に居る来訪者が住戸内の居住者を呼び出すために呼出操作を行なった場合には、図２（ａ）の正面図および図２（ｂ）のブロック図に示すインターホン子機１の人感センサ１１にて玄関先に近づいた人体の存在が感知され、人感センサ１１が作動状態であることを検出した人体検出回路１７からの人体検出信号Ｓ３が入力される子機制御回路２３では、カメラユニット１２、映像変調回路１８の能動状態がそれぞれ保持されるように制御している。
【００４７】
図３（ｂ）のブロック図に示すインターホン親機２において、親機無線回路４１は、親機無線アンテナ３５にて受信されたインターホン子機１からの無線呼出信号Ｓ１ａ、無線撮像信号Ｓ２ｂのうち、無線呼出信号Ｓ１ａを信号処理した呼出信号Ｓ１を親機制御回路４３に、無線撮像信号Ｓ２ｂを信号処理した撮像変調信号Ｓ２ａを、親機制御回路４３を介して映像復調回路３６にそれぞれ出力する。また、親機制御回路４３は、入力された呼出信号Ｓ１に基づき、玄関先に居る来訪者からの呼び出しを検出し、モニタユニット３０、映像復調回路３６をそれぞれ能動となるように制御するとともに、親機スピーカ３４にて呼出音を鳴動させるための呼出音信号Ｓ５１を親機受話アンプ４０に出力する。この呼出音信号Ｓ５１は、親機受話アンプ４０を介して増幅され、親機スピーカ３４にて呼出音を鳴動させる。さらに、映像復調回路３６は、入力された撮像変調信号Ｓ２ａを撮像信号Ｓ２にＦＭ復調してモニタユニット３０に出力することにより、玄関先にて呼出操作を行なった来訪者の映像が、照度が確保された映像としてモニタユニット３０に表示され、住戸内の居住者に確認させることができる。
【００４８】
また、図３（ａ）の正面図および図３（ｂ）のブロック図に示すインターホン親機２の親機スピーカ３４にて鳴動された呼出音とともにモニタユニット３０にて表示された映像に基づき、玄関先に居る来訪者からの呼び出しを当該来訪者の判別と併せて確認できた住戸内の居住者が通話ボタン３２を操作すると、応答操作を検出した応答検出回路３８からの応答検出信号Ｓ５２が入力された親機制御回路４３の制御および図２（ｂ）のブロック図に示すインターホン子機１の子機制御回路２３の制御（詳述せず）により、居住者が使用する親機マイクロフォン３３および親機スピーカ３４と、親機送話アンプ３９および親機受話アンプ４０、親機制御回路４３、親機無線回路４１、親機無線アンテナ３５、インターホン子機１の子機無線アンテナ１５、子機無線回路２１、子機制御回路２３、子機送話アンプ１９および子機受話アンプ２０を介して来訪者が使用する子機マイクロフォン１３および子機スピーカ１４との間の通話ラインが形成され、この通話ラインを介して音声信号を送受信させることにより通話が成立する。
【００４９】
なお、上述の説明では、来訪者が住戸内の居住者を呼び出して通話を成立させるために玄関先に近づき呼出操作を行なった時間帯を、照明器６の照明灯５０が自動点灯されている夜間時として説明したが、この時間帯は夜間時に限定されず、照明灯５０が自動消灯されている昼間時においても、居住者は、インターホン親機２の親機スピーカ３４にて鳴動された呼出音とともにモニタユニット３０にて表示された映像に基づき、玄関先に居る来訪者からの呼び出しを当該来訪者の判別と併せて確認でき、この後、応答操作を行なうことにより通話が成立する。
【００５０】
次に、図４のブロック図に示す照明器６の照明灯５０が自動点灯されている夜間時において、来訪者や不審者等が玄関先に近づく、すなわち、図１の説明図に示す門柱４に固定されているインターホン子機１に近づくと、図２（ａ）の正面図および図２（ｂ）のブロック図に示すインターホン子機１の人感センサ１１が人体の存在を感知し、これを検出した人体検出回路１７から子機制御回路２３に人体検出信号Ｓ１３が出力される。
【００５１】
なお、ここでは、玄関先に近づいた来訪者や不審者等による呼出操作、すなわち、図２（ａ）の正面図および図２（ｂ）のブロック図に示すインターホン子機１の呼出ボタン１０の操作が行なわれていない場合について説明する。
【００５２】
図２（ｂ）のブロック図に示すインターホン子機１において、人体検出回路１７からの人体検出信号Ｓ１３が入力された子機制御回路２３では、カメラユニット１２、映像変調回路１８をそれぞれ能動となるように制御するとともに、図３（ｂ）のブロック図に示すインターホン親機２のモニタユニット３０、映像復調回路３６がそれぞれ能動となるように制御するための制御信号Ｓ４を子機無線回路２１に出力することにより、自動点灯されている図４のブロック図に示す照明器６の照明灯５０により照度が確保された来訪者や不審者等の映像の撮像がカメラユニット１２にて開始され、撮像された映像をなす撮像信号Ｓ１２は、映像変調回路１８にて撮像変調信号Ｓ１２ａにＦＭ変調された後、子機制御回路２３を介して子機無線回路２１に伝送される。また、子機無線回路２１は、子機制御回路２３からの制御信号Ｓ４を、例えば、高周波信号をなす無線信号（以下、無線制御信号という。）Ｓ４ａに、映像変調回路１８からの撮像変調信号Ｓ１２ａを、例えば、高周波信号をなす無線信号（以下、無線撮像信号という。）Ｓ１２ｂにそれぞれ信号処理する。これら無線制御信号Ｓ４ａ、無線撮像信号Ｓ１２ｂは、上述の無線呼出信号Ｓ１ａ、無線撮像信号Ｓ２ｂと同様な経路を介して伝送され、図３（ａ）の正面図および図３（ｂ）のブロック図に示すインターホン親機２の親機無線アンテナ３５にてそれぞれ受信される。
【００５３】
図３（ｂ）のブロック図に示すインターホン親機２において、親機無線アンテナ３５にて受信されたインターホン子機１からの無線制御信号Ｓ４ａ、無線撮像信号Ｓ１２ｂのうち、無線制御信号Ｓ４ａを信号処理した制御信号Ｓ４を親機制御回路４３に、無線撮像信号Ｓ１２ｂを信号処理した撮像変調信号Ｓ１２ａを、親機制御回路４３を介して映像復調回路３６にそれぞれ出力する。また、親機制御回路４３は、入力された制御信号Ｓ４に基づき、玄関先に人体が近づいたことを検出し、モニタユニット３０、映像復調回路３６をそれぞれ能動となるように制御する。さらに、映像復調回路３６は、入力された撮像変調信号Ｓ１２ａを撮像信号Ｓ１２にＦＭ復調してモニタユニット３０に出力することにより、玄関先に近づいた来訪者や不審者等の映像が、照度が確保された映像としてモニタユニット３０に表示され、住戸内の居住者に確認させることができる。
【００５４】
なお、上述の説明では、来訪者や不審者等が玄関先に近づいた時間帯を、照明器６の照明灯５０が自動点灯されている夜間時として説明したが、この時間帯は夜間時に限定されず、照明灯５０が自動消灯されている昼間時においても、住戸内の居住者は、インターホン親機２のモニタユニット３０にて表示された映像に基づき、玄関先に近づいた来訪者や不審者等の映像を確認できる。
【００５５】
次に、図４のブロック図に示す照明器６の照明灯５０が自動点灯されている夜間時において、玄関先近傍の様子を確認するために、住戸内の居住者が図３（ａ）の正面図および図３（ｂ）のブロック図に示すインターホン親機２の出画ボタン３１を操作すると、出画操作を検出した出画検出回路３７からの出画検出信号Ｓ５３が入力された親機制御回路４３では、モニタユニット３０、映像復調回路３６をそれぞれ能動となるように制御するとともに、図２（ｂ）のブロック図に示すインターホン子機１のカメラユニット１２、映像変調回路１８がそれぞれ能動となるように制御するための制御信号Ｓ５４を親機無線回路４１に出力する。また、親機無線回路４１は、親機制御回路４３からの制御信号Ｓ５４を、例えば、高周波信号をなす無線信号（以下、無線制御信号という。）Ｓ５４ａに信号処理する。この無線制御信号Ｓ５４ａは、上述の無線呼出信号Ｓ１ａ、無線撮像信号Ｓ２ｂ、Ｓ１２ｂ、無線制御信号Ｓ４ａとは逆の経路を介して伝送され、図２（ａ）の正面図および図２（ｂ）のブロック図に示すインターホン子機１の子機無線アンテナ１５にて受信される。
【００５６】
図２（ｂ）のブロック図に示すインターホン子機１において、子機無線回路２１は、子機無線アンテナ２１にて受信されたインターホン親機２からの無線制御信号Ｓ５４ａを信号処理した制御信号Ｓ５４を、子機制御回路２３に出力する。また、子機制御回路２３は、入力された制御信号Ｓ５４に基づき、住戸内の居住者による出画操作を検出し、カメラユニット１２、映像変調回路１８をそれぞれ能動となるように制御することにより、自動点灯されている図４のブロック図に示す照明器６の照明灯５０により照度が確保された玄関先近傍の映像の撮像がカメラユニット１２にて開始され、撮像された映像をなす撮像信号Ｓ２２は、映像変調回路１８にて撮像変調信号Ｓ２２ａにＦＭ変調された後、子機制御回路２３を介して子機無線回路２１に伝送される。また、子機無線回路２１は、映像変調回路１８からの撮像変調信号Ｓ２２ａを、例えば、高周波信号をなす無線信号（以下、無線撮像信号という。）Ｓ２２ｂに信号処理する。この無線撮像信号Ｓ２２ｂは、上述の無線呼出信号Ｓ１ａ、無線撮像信号Ｓ２ｂ、Ｓ１２ｂ、無線制御信号Ｓ４ａと同様な経路を介して伝送され、図３（ａ）の正面図および図３（ｂ）のブロック図に示すインターホン親機２の親機無線アンテナ３５にて受信される。
【００５７】
図３（ｂ）のブロック図に示すインターホン親機２において、親機無線回路４１は、親機無線アンテナ３５にて受信されたインターホン子機１からの無線撮像信号Ｓ２２ｂを信号処理した撮像変調信号Ｓ２２ａを、親機制御回路４３を介して映像復調回路３６に出力する。また、映像復調回路３６は、入力された撮像変調信号Ｓ２２ａを撮像信号Ｓ２２にＦＭ復調してモニタユニット３０に出力することにより、玄関先近傍の映像が、照度が確保された映像としてモニタユニット３０に表示され、住戸内の居住者に確認させることができる。
【００５８】
なお、上述の説明では、住戸内の居住者によりインターホン親機２の出画ボタン３１が操作された時間帯を、照明器６の照明灯５０が自動点灯されている夜間時として説明したが、この時間帯は夜間時に限定されず、照明灯５０が自動消灯されている昼間時においても、居住者は、インターホン親機２のモニタユニット３０にて表示された映像に基づき、玄関先近傍の映像を確認できる。
【００５９】
また、本発明の一実施例によるテレビドアホン装置では、玄関先に居る来訪者からの呼び出しを当該来訪者の判別と併せて確認できた住戸内の居住者が、来訪者との間で通話を行なうために使用する通話手段として、インターホン親機２の通話ボタン３２を操作することにより通話ラインが形成される親機マイクロフォン３３および親機スピーカ３４を適用させたが、通話手段はこれに限定されず、応答操作として取り上げられるハンドセットを使用した通話手段、すなわち、ハンドセット通話も好適である。
【００６０】
さらに、本発明の一実施例によるテレビドアホン装置では、玄関先に設置されるインターホン子機として、人感センサ１１および検出回路（人体検出回路）１７が備えられたインターホン子機１を適用し、照明灯５０を有する照明器として、照度センサ５２およびセンサ回路５３が備えられた照明器６を適用するとともに、門柱４に照明器６を設けインターホン子機１を固定し、併せて、充電器７の構成各部／回路である充電回路６０、２次電池６１および放電回路６２を収納させたが、上述のインターホン子機１に人感センサ１１および検出回路（人体検出回路）１７を備えることの要否、照明器６に照度センサ５２およびセンサ回路５３を備えることの要否とともに、インターホン子機１、照明器６、充電器７の構成各部／回路とされる充電回路６０、２次電池６１および放電回路６２の固定／設置／収納場所等を、使用状況に応じて適宜、組み合わせることにより、当該テレビドアホン装置を構成できる。
【００６１】
【発明の効果】
以上の説明から明らかなように、本発明のテレビドアホン装置によれば、太陽光を用いる太陽電池、または風力を用いる風力発電による発電器にて発電され、玄関先の門柱に収納された充電器を介して充放電された電力のうち、門柱に設けられた（照明器の）照明灯を点灯させるための電力の余剰電力が、門柱に固定されたインターホン子機を駆動させるための電源、すなわち、待受時のみならず人体感知、呼出操作、映像撮像、通話の各動作時の動作電源となる、一方、住戸内に設置されたインターホン親機では、商用電源からの電力が動作電源となることにより、インターホン子機へのバッテリーの内蔵が不要とされ回路構成が簡素化されるとともに、このインターホン子機とインターホン親機との間で行なわれる通信が無線にて可能となることから、配線が不要となり施工性を向上させることができる。
【００６２】
また、本発明のテレビドアホン装置によれば、門柱に設けられた照明器の照明灯を、玄関先の照度のレベルに応じて自動点灯／自動消灯させることができ、例えば、夜間時等のように玄関先の照度が所定のレベル未満である場合には、照明灯の点灯が門柱に固定されているインターホン子機の照明となり、玄関先の照度を確保できる。
【図面の簡単な説明】
【図１】本発明の一実施例によるテレビドアホン装置の構成を示す説明図である。
【図２】図２（ａ）は、インターホン子機の構成を示す正面図であり、図２（ｂ）は、インターホン子機の具体的な構成を示すブロック図である。
【図３】図３（ａ）は、インターホン親機の構成を示す正面図であり、図３（ｂ）は、インターホン親機の具体的な構成を示すブロック図である。
【図４】照明器の具体的な構成を示すブロック図である。
【図５】充電器の具体的な構成を示すブロック図である。
【図６】従来例のテレビドアホン装置の構成を示す正面図である。
【符号の説明】
１・・・・・インターホン子機
２・・・・・インターホン親機
４・・・・・門柱
５・・・・・発電器
６・・・・・照明器
７・・・・・充電器
１０・・・・・呼出ボタン
１１・・・・・人感センサ
１２・・・・・カメラユニット
１３・・・・・子機マイクロフォン
１４・・・・・子機スピーカ
１５・・・・・（インターホン子機の）無線アンテナ
１７・・・・・検出回路
１８・・・・・映像変調回路
２１・・・・・（インターホン子機の）無線回路
２２・・・・・電圧変換回路
３０・・・・・モニタユニット
３５・・・・・（インターホン親機の）無線アンテナ
３６・・・・・映像復調回路
４１・・・・・（インターホン親機の）無線回路
５０・・・・・照明灯
５１・・・・・電源回路
５２・・・・・照度センサ
５３・・・・・センサ回路
６０・・・・・充電回路
６１・・・・・２次電池
６２・・・・・放電回路
Ｌ２、Ｌ３、Ｌ４・・・・・電力ケーブル
【図１】
2004032533.tif 000003
【図２】
2004032533.tif 000004
【図３】
2004032533.tif 000005
【図４】
2004032533.tif 000006
【図５】
2004032533.tif 000007
【図６】
2004032533.tif 000008